(57)【要約】【課題】  簡単な構造で耐久性に優れた、複数の静止安定位置で開閉可能な保護カバー付き物品を提供する。【解決手段】  本体と、本体の一部を保護するための開閉可能な保護カバーとを含む物品であって、保護カバーは、開閉動作時に開放位置と閉鎖位置とそれらの位置の間の少なくとも一つの位置とを含む少なくとも三つの静止安定位置をとることができ、保護カバーは、回転軸と軸保持部材とからなる連結部材を介して本体に連結され、保護カバーは、回転軸の両軸端を固定して受ける部分を有し、回転軸が回転することにより保護カバーが回転して開閉動作を行い、軸保持部材は、弾性部材によって回転軸の軸方向に沿った表面を圧接し、回転軸が回転する間に回転軸の軸方向に沿った表面とそれを圧接する軸保持部材の表面とが互いに係合して静止安定する少なくとも三つの位置をとり、それらの位置のときに保護カバーの静止安定位置をもたらす、ことを特徴とする。【選択図】  図５ｃ
2010040579.tif 000002
【特許請求の範囲】
【請求項１】
本体と、前記本体の一部を保護するための開閉可能な保護カバーとを含む物品であって、
前記保護カバーは、開閉動作時に開放位置と閉鎖位置とそれらの位置の間の少なくとも一つの位置とを含む少なくとも三つの静止安定位置をとることができ、
前記保護カバーは、回転軸と軸保持部材とからなる連結部材を介して前記本体に連結され、
前記保護カバーは、前記回転軸の両軸端を固定して受ける部分を有し、前記回転軸が回転することにより前記保護カバーが回転して開閉動作を行い、
前記軸保持部材は、弾性部材によって前記回転軸の軸方向に沿った表面を圧接し、前記回転軸が回転する間に前記回転軸の軸方向に沿った表面とそれを圧接する前記軸保持部材の表面とが互いに係合して静止安定する少なくとも三つの位置をとり、それらの位置のときに前記保護カバーの前記静止安定位置をもたらす、
ことを特徴とする物品。
【請求項２】
前記回転軸の軸方向横断面は多角形であり、前記回転軸の軸方向に沿った表面を圧接する軸保持部材の表面は、前記多角形の辺に合わせて接触できる平面部からなり、前記多角形の辺と前記平面部が互いに係合して静止安定位置をとることを特徴とする請求項１に記載の物品。
【請求項３】
前記回転軸の軸方向横断面は多角形であり、前記回転軸の軸方向に沿った表面を圧接する軸保持部材の表面は、前記多角形の角に合わせて接触できる凹部からなり、前記多角形の角と前記凹部が互いに係合して静止安定位置をとることを特徴とする請求項１に記載の物品。
【請求項４】
前記凹部は略Ｖ字形であり、前記Ｖ字形を構成する二つの辺が前記多角形の隣接する二つの角をそれぞれ互いに均等に受けて係合してさらなる静止安定位置をとることを特徴とする請求項３に記載の物品。
【請求項５】
前記回転軸の軸方向横断面の多角形であり、前記回転軸の軸方向に沿った表面を圧接する軸保持部材の表面は、前記多角形の角に合わせて接触できる凹部とその両側に形成された前記多角形の辺に合わせて接触できる平面部とからなり、前記多角形の角と前記凹部、又は前記多角形の辺と前記平面部が互いに係合して静止安定位置をとることを特徴とする請求項１に記載の物品。
【請求項６】
前記凹部は略Ｖ字形であり、凹部のＶ字を構成する二つの辺とそれらにそれぞれ連続してつながる両側の平面部の間に形成された二つの角が前記多角形の隣接する二つの辺をそれぞれ互いに受けて係合してさらなる静止安定位置をとることを特徴とする請求項５に記載の物品。
【請求項７】
前記連結部材は、前記本体に設けた凹所に収納され、前記凹所内で前記本体と連結されていることを特徴とする請求項１〜６のいずれかに記載の物品。
【請求項８】
前記連結部材は、前記本体から着脱可能に連結されていることを特徴とする請求項１〜７のいずれかに記載の物品。
【請求項９】
前記連結部材は、前記本体の重量未満の力で前記本体からはずれることを特徴とする請求項８に記載の物品。
【請求項１０】
前記連結部材に雄部又は雌部が設けられ、前記本体の凹所内にそれらにそれぞれ対応した雌部又は雄部が設けられ、前記連結部材に設けた雄部又は雌部はそれぞれ、前記本体の凹所内に設けた雌部又は雄部に係合して前記連結部材と前記本体を連結することを特徴とする請求項８又は９に記載の物品。
【請求項１１】
前記連結部材に設けた雄部又は前記本体の凹所内に設けた雄部は板バネによって形成されることを特徴とする請求項９に記載の物品。
【請求項１２】
前記本体は電気機器であり、前記保護カバーは前記電気機器の操作盤を保護することを特徴とする請求項１〜１１のいずれかに記載の物品。
【発明の詳細な説明】
【技術分野】
【０００１】
本発明は、簡単な構造で耐久性に優れた、複数の静止安定位置で開閉可能な保護カバー付き物品に関する。
【背景技術】
【０００２】
従来から電気機器等の物品には、その一部を保護するために開閉可能な保護カバーが設けられることがある。かかる保護カバーは、急激な開閉動作を避けるために複数の静止安定位置を経て開閉されることが望まれる。また、高級感の観点から、保護カバーの開閉動作時には、静止安定位置間で適度なクリック感を伴うことが望まれる。さらに、安全性の観点から、保護カバーに必要以上の力が加えられたときに保護カバーが本体から容易に着脱できることが望まれる。
【０００３】
しかしながら、上述の希望の技術を全て盛り込んだ保護カバーを作製すると、構造が複雑になるか又は繰り返しの利用に対して耐久性に劣るという問題があった。
【発明の開示】
【発明が解決しようとする課題】
【０００４】
本発明は、かかる従来技術の問題に鑑み創案されたものであり、その目的は、簡単な構造で耐久性に優れた、複数の静止安定位置で開閉可能な保護カバー付き物品を提供することにある。また、本発明は、開閉可能な保護カバーが物品の本体から容易に着脱できる、保護カバー付き物品を提供することを目的とする。
【課題を解決するための手段】
【０００５】
本発明者は、かかる目的を達成するために鋭意検討した結果、保護カバーを本体に連結する着脱自在な連結部材に、保護カバーに開閉動作を与える回転軸とその軸を圧接して係合しうる軸保持部材とを設けることによって、複数の静止安定位置でクリック感を伴いながら安全に開閉可能な保護カバー付き物品を提供することを見出し、本発明の完成に至った。
【０００６】
即ち、本発明は、本体と、前記本体の一部を保護するための開閉可能な保護カバーとを含む物品であって、
前記保護カバーは、開閉動作時に開放位置と閉鎖位置とそれらの位置の間の少なくとも一つの位置とを含む少なくとも三つの静止安定位置をとることができ、
前記保護カバーは、回転軸と軸保持部材とからなる連結部材を介して前記本体に連結され、
前記保護カバーは、前記回転軸の両軸端を固定して受ける部分を有し、前記回転軸が回転することにより前記保護カバーが回転して開閉動作を行い、
前記軸保持部材は、弾性部材によって前記回転軸の軸方向に沿った表面を圧接し、前記回転軸が回転する間に前記回転軸の軸方向に沿った表面とそれを圧接する前記軸保持部材の表面とが互いに係合して静止安定する少なくとも三つの位置をとり、それらの位置のときに前記保護カバーの前記静止安定位置をもたらす、
ことを特徴とする物品である。
【０００７】
本発明の物品の好ましい態様では、前記回転軸の軸方向横断面は多角形であり、前記回転軸の軸方向に沿った表面を圧接する軸保持部材の表面は、前記多角形の辺に合わせて接触できる平面部からなり、前記多角形の辺と前記平面部が互いに係合して静止安定位置をとる。
【０００８】
本発明の物品の好ましい態様では、前記回転軸の軸方向横断面は多角形であり、前記回転軸の軸方向に沿った表面を圧接する軸保持部材の表面は、前記多角形の角に合わせて接触できる凹部からなり、前記多角形の角と前記凹部が互いに係合して静止安定位置をとる。
【０００９】
本発明の物品の好ましい態様では、前記凹部は略Ｖ字形であり、前記Ｖ字形を構成する二つの辺が前記多角形の隣接する二つの角をそれぞれ互いに均等に受けて係合してさらなる静止安定位置をとる。
【００１０】
本発明の物品の好ましい態様では、前記回転軸の軸方向横断面の多角形であり、前記回転軸の軸方向に沿った表面を圧接する軸保持部材の表面は、前記多角形の角に合わせて接触できる凹部とその両側に形成された前記多角形の辺に合わせて接触できる平面部とからなり、前記多角形の角と前記凹部、又は前記多角形の辺と前記平面部が互いに係合して静止安定位置をとる。
【００１１】
本発明の物品の好ましい態様では、前記凹部は略Ｖ字形であり、凹部のＶ字を構成する二つの辺とそれらにそれぞれ連続してつながる両側の平面部の間に形成された二つの角が前記多角形の隣接する二つの辺をそれぞれ互いに受けて係合してさらなる静止安定位置をとる。
【００１２】
本発明の物品の好ましい態様では、前記連結部材は、前記本体に設けた凹所に収納され、前記凹所内で前記本体と連結されている。
【００１３】
本発明の物品の好ましい態様では、前記連結部材は、好ましくは前記本体の重量未満の力で本体からはずれるように着脱可能に連結されている。
【００１４】
本発明の物品の好ましい態様では、前記連結部材に雄部又は雌部が設けられ、前記本体の凹所内にそれらにそれぞれ対応した雌部又は雄部が設けられ、前記連結部材に設けた雄部又は雌部はそれぞれ、前記本体の凹所内に設けた雌部又は雄部に係合して前記連結部材と前記本体を連結する。
【００１５】
本発明の物品の好ましい態様では、前記連結部材に設けた雄部又は前記本体の凹所内に設けた雄部は板バネによって形成される。
【００１６】
本発明の物品の好ましい態様では、前記本体は電気機器であり、前記保護カバーは前記電気機器の操作盤を保護する。
【発明の効果】
【００１７】
本発明の物品は、保護カバーを回転する回転軸とそれを圧接する軸保持部材とが互いに係合して保護カバーの開閉動作時の静止安定位置をもたらすので、簡単な構造で複数の静止安定位置で保護カバーを安全に開閉することができる。また、本発明の物品は、回転軸の横断面が多角形であり、それを圧接する軸保持部材がその多角形の角又は辺を受けて静止安定する形状を有しているので、開閉動作時の複数の位置間でクリック感を伴うとともに繰り返しの開閉動作時に対する耐久性が高い。さらに、本発明の物品は、保護カバーの開閉動作の役割を持つ連結部材が本体に着脱自在に連結されているので、保護カバーに無理な力が掛かった場合に保護カバーが容易にはずれる。
【発明を実施するための最良の形態】
【００１８】
本発明の保護カバー付き物品の実施態様を図面を参照して以下に詳細に示すが、本発明はこれらに限定されるものではない。
【００１９】
本発明の物品は、図１に示すように、本体２と、その一部を保護するための開閉可能な保護カバー３とを含む物品１であり、例えば、屋外で使用されるワイヤレスアンプなどの電気機器と、その操作盤を水、ほこり、日光等の環境的要因や人間等の接触による誤動作から保護するための開閉可能な保護カバーとからなる物品が該当する。
【００２０】
本発明の物品の保護カバー３は、開閉動作時に図１のような開放位置と、図２のような閉鎖位置と、図３のようなそれらの位置の間の中途の位置とを含む少なくとも三つの静止安定位置をとることができ、開放位置と閉鎖位置の間の静止安定位置は希望により必要な数だけ増加することができる。
【００２１】
保護カバー３は、図１に示すように、連結部材４を介して本体に連結されるが、保護カバー３の開閉時等に無理な力が掛かった場合（例えば保護カバーをつかんで本体を持ち上げようとしたとき）に保護カバー等の物品の破損を避けるために、図４のように本体の重量未満の力で着脱できるようにすることが好ましい。また、連結部材４は、外部から目立たないようにするため、図４に示すように、本体２に設けた凹所５に収納され、その凹所５内で本体２と着脱自在に連結されることが好ましい。
【００２２】
連結部材４は、図５（ａ），（ｂ）の外部カバーを取りはずした分解図からわかるように、回転軸６と軸保持部材７とからなり、軸保持部材７は弾性部材８（図ではばね）によって回転軸６の軸方向に沿った表面を圧接するようになっている。回転軸６は保護カバー３によってその両軸端を固定して受けるようになっており、回転軸６が軸まわりに回転することによって保護カバー３が連動して回転して開閉動作を行う。回転軸６の回転角度範囲は、一般に４５°以上２７０°以下、好ましくは６０°以上１８０°以下である。
【００２３】
本発明では、回転軸６が回転する間に、回転軸６の軸方向に沿った表面とそれを圧接する軸保持部材７の表面とが互いに係合して静止安定する複数の位置をとるようになっており、これらの位置のときに保護カバー３の静止安定位置をもたらすようになっている。従って、これらの表面同士が互いに係合する静止安定位置の数を増加すれば、保護カバーの静止安定位置も同様に増加することができる。
【００２４】
図５（ｃ）を参照すると、本発明の連結部材４の一例の概略的断面図が示されている。図５（ｃ）では、回転軸６の軸方向横断面は、多角形（図では八角形）であり、回転軸６の軸方向に沿った表面を圧接する軸保持部材７の表面は、この多角形の辺に合わせて接触できる平面部からなり、この平面部が多角形の辺と当接した安定状態で互いに係合することにより静止安定位置をとる。図５の態様では、もし回転軸６が１回転できるなら、八角形の辺の数の分だけ（即ち８ヶ所）の静止安定位置をとることができる。図５（ｃ）の回転軸６の表面と軸保持部材７の表面の係合パターンは一例にすぎず、本発明の効果を損なわない限り、以下に説明する他の係合パターンも採用することができる。
【００２５】
図６（ａ）〜（ｄ）を参照すると、本発明の連結部材４の別の例が示されている。図６（ｃ）では、回転軸６の軸方向横断面は、多角形（図では八角形）であり、回転軸６の軸方向に沿った表面を圧接する軸保持部材７の表面は、この多角形の角に合わせて接触できる略Ｖ字形の凹部からなり、この凹部が多角形の角とぴったりと当接した状態で互いに係合することにより静止安定位置をとる。この態様では、図６（ｃ）の静止安定位置以外に、図６（ｄ）のように、Ｖ字形の凹部がＶ字を構成する二つの辺でそれぞれ多角形の隣接する角を均等に受けて係合する場合も静止安定位置をとることができる。図６の態様では、もし回転軸６が１回転できるなら、八角形の辺の２倍の数の分だけ（即ち１６ヶ所）の静止安定位置をとることができる。
【００２６】
また、図７（ａ）〜（ｄ）を参照すると、本発明の連結部材４のさらに別の例が示されている。図７（ｃ）では、回転軸６の軸方向横断面は、多角形（図では八角形）であり、回転軸６の軸方向に沿った表面を圧接する軸保持部材７の表面は、この多角形の角に合わせて接触できる略Ｖ字形の凹部とその両側に形成されたこの多角形の辺に合わせて接触できる平面部とからなる。この場合、図７（ｃ）に示すように、多角形の辺に合わせて凹部の両側の平面部が当接した安定状態で互いに係合するか、又は図７（ｄ）に示すように、凹部のＶ字を構成する二つの辺とそれらにそれぞれ連続してつながる両側の平面部の間に形成された二つの角で多角形の隣接する辺を均等に受けて係合することによって静止安定位置をとることができる。図７の態様では、もし回転軸６が１回転できるなら、八角形の辺の２倍の数の分だけ（即ち１６ヶ所）の静止安定位置をとることができる。
【００２７】
図５〜７の態様で示したように、回転軸６と軸保持部材７の係合パターンとしては、例えば、回転軸６の軸方向横断面が多角形（好ましくは六角形以上）であるとき、回転軸６の軸方向に沿った表面を圧接する軸保持部材７の表面が、多角形の辺を当接して受ける平面部、多角形の角を谷部で当接して受ける略Ｖ字形の凹部、多角形の二つの角をそれぞれ均等に受ける二つの辺からなる略Ｖ字形の凹部、又は多角形の二つの辺をそれぞれ均等に受ける二つの角を有する凹部と平面部からなる表面が挙げられる。最初の二つの態様は面同士が接触し、最後の二つの態様は二箇所で点同士が接触するが、面同士の接触の方が二点接触の場合より回転軸の静止安定度が高い。これらの係合パターンを採用することにより、回転軸の回転時に回転軸の多角形の角と辺が軸保持部材の表面と接触するときに適度なクリック感を伴うようになっている。また、軸保持部材７の多角形の内角は鈍角になるように、好ましくは１２０°以上に設定すると、多数回の開閉動作でも回転軸の多角形の角が大きな力を受けて欠けることが少ないので好ましい。
【００２８】
本発明の連結部材４は、保護カバー３に複数の静止安定位置を伴う開閉機構を有するだけでなく、保護カバー３に無理な力が掛かったときに本体２から容易に着脱できる着脱機構も併せ持つ。この着脱機構は、連結部材４に設けられた雄部又は雌部と、本体２の凹部５内に設けられたそれらの雄部又は雌部にそれぞれ対応する雌部又は雄部とによって行われ、これらがそれぞれ互いに係合したり又は脱係合したりすることにより連結部材４と本体２の連結又は非連結が達成される。
【００２９】
連結部材４の本体２からの着脱機構の例としては、図５（ｃ）に示すように連結部材４に設けた雄部９と本体２の凹所５内に設けた雌部１０が互いに係合して連結したり又は脱係合して脱連結するもの、図６（ｃ）に示すように連結部材４に設けた雌部１１と本体２の凹所５内に設けた雄部１２が互いに係合して連結したり又は脱結合して脱連結するもの、図８に示すように連結部材４に設けた雌部１３と本体２の凹所５内に設けた板バネによって形成された雄部１４が互いに係合して連結したり又は脱係合して脱結合するものが挙げられる。連結部材４を本体２から着脱するための力はこの雌雄部の材料と大きさによって適宜設定することができるが、保護カバー３を無理な力で引っ張った場合でも本体２が追随しないように本体の重量未満の力ではずれることが好ましい。
【産業上の利用可能性】
【００３０】
本発明の物品は、簡単な構造で複数の静止安定位置で保護カバーをクリック感を伴いながら安全に開閉できるので、操作盤を保護する電気機器を始めとするあらゆる開閉部を有する製品に有用である。また、本発明の物品は、保護カバーが開閉機構を有する連結部材の部分から容易に脱着できるので、安全に取扱うことができる。
【図面の簡単な説明】
【００３１】
【図１】保護カバーが開放位置にある本発明の物品の概略図を示す。
【図２】保護カバーが閉鎖位置にある本発明の物品の概略図を示す。
【図３】保護カバーが開放位置と閉鎖位置の間の位置にある本発明の物品の概略図を示す。
【図４】保護カバーからはずれた状態にある本発明の物品の概略図を示す。
【図５ａ】本発明の連結部材の概略的分解図である。
【図５ｂ】本発明の連結部材の概略的分解図である。
【図５ｃ】本発明の連結部材の概略的断面図である。
【図６ａ】本発明の連結部材の概略的分解図である。
【図６ｂ】本発明の連結部材の概略的分解図である。
【図６ｃ】本発明の連結部材の概略的断面図である。
【図６ｄ】本発明の連結部材の概略的断面図である。
【図７ａ】本発明の連結部材の概略的分解図である。
【図７ｂ】本発明の連結部材の概略的分解図である。
【図７ｃ】本発明の連結部材の概略的断面図である。
【図７ｄ】本発明の連結部材の概略的断面図である。
【図８】本発明の連結部材の概略的断面図である。
【符号の説明】
【００３２】
１  物品
２  本体
３  保護カバー
４  連結部材
５  凹部
６  回転軸
７  軸保持部材
８  弾性部材
９  雄部
１０  雌部
１１  雌部
１２  雄部
１３  雌部
１４  雄部（板バネ）
【図１】
2010040579.tif 000003
【図２】
2010040579.tif 000004
【図３】
2010040579.tif 000005
【図４】
2010040579.tif 000006
【図５ａ】
2010040579.tif 000007
【図５ｂ】
2010040579.tif 000008
【図５ｃ】
2010040579.tif 000009
【図６ａ】
2010040579.tif 000010
【図６ｂ】
2010040579.tif 000011
【図６ｃ】
2010040579.tif 000012
【図６ｄ】
2010040579.tif 000013
【図７ａ】
2010040579.tif 000014
【図７ｂ】
2010040579.tif 000015
【図７ｃ】
2010040579.tif 000016
【図７ｄ】
2010040579.tif 000017
【図８】
2010040579.tif 000018